(57)【要約】【課題】開閉窓を電動で開閉可能とする場合に、様々な種類の窓に対し同じ部品で対応することができて、コストダウンを図ることのできる窓開閉装置を提供する。【解決手段】枠体１に対して固定されるベースブラケット２１と、ベースブラケット２１に対して固定されるモータ固定ブラケット２２と、モータ固定ブラケット２２に対して固定されるモータ２３と、モータ２３の駆動軸２３ａと駆動部１５とを連結するジョイント部材２４と、モータ２３を覆うように取付けられるモータカバー２５とからなり、ベースブラケット２１はモータ固定ブラケット２２の固定位置を複数設定できる取付部２１ｃを備え、モータ固定ブラケット２２はベースブラケット２１に対する固定位置を複数設定できるブラケット固定部２２ａを備え、モータ２３の固定位置を複数設定できるモータ取付部２２ｂを備える。【選択図】図４
2008231689.tif 000002
【特許請求の範囲】
【請求項１】
建物開口部に取付けられる枠体内に障子が開閉機構を介して開閉自在に納められた窓の前記開閉機構を駆動する駆動部に対して取付けられる窓開閉装置において、
前記枠体に対して固定されるベースブラケットと、該ベースブラケットに対して固定されるモータ固定ブラケットと、該モータ固定ブラケットに対して固定され前記駆動部を動作させるモータと、該モータの駆動軸と前記駆動部とを連結するジョイント部材と、前記モータを覆うように取付けられるモータカバーとからなり、
前記ベースブラケットは前記モータ固定ブラケットの固定位置を複数設定できる取付部を備え、前記モータ固定ブラケットは前記ベースブラケットに対する固定位置を複数設定できるブラケット固定部を備えると共に、前記モータの固定位置を複数設定できるモータ取付部を備えることを特徴とする窓開閉装置。
【請求項２】
前記ベースブラケットの取付部と前記モータ固定ブラケットのブラケット固定部は、これらに挿通されるネジによって互いに固着可能な複数のネジ孔によって構成され、前記ベースブラケットの取付部を構成するネジ孔は、前記ベースブラケットの上半分と下半分とで対象となるように上下方向に複数配置されることを特徴とする請求項１記載の窓開閉装置。
【請求項３】
前記モータ固定ブラケットのブラケット固定部を構成するネジ孔は、左右方向に複数設けられることを特徴とする請求項２記載の窓開閉装置。
【請求項４】
前記モータ固定ブラケットのモータ取付部は、ネジによって前記モータを固着可能なネジ孔によって構成され、前記モータ取付部を構成するネジ孔は、前記モータ固定ブラケットの長手方向に複数形成及び／または長孔状に形成されることを特徴とする請求項２または３記載の窓開閉装置。
【請求項５】
建物開口部に取付けられる枠体内に障子が開閉機構を介して開閉自在に納められたルーバー窓、縦辷り出し窓、平行辷り出し窓、オーニング窓のいずれかの窓であって、
前記開閉機構を駆動する駆動部に対して請求項１〜４のいずれか１項に記載の窓開閉装置を取付けたことを特徴とする窓。
【発明の詳細な説明】
【技術分野】
【０００１】
本発明は、ルーバー窓、縦辷り出し窓、平行辷り出し窓、及びオーニング窓のような開閉窓を自動で開閉させる窓開閉装置及びそれを用いた窓に関し、特に窓種にかかわらず同一部品で構成することのできる窓開閉装置及びそれを用いた窓に関する。
【背景技術】
【０００２】
従来、ルーバー窓、縦辷り出し窓、平行辷り出し窓、及びオーニング窓のような開閉窓が知られており、これら開閉窓においては窓開閉装置によって窓の開閉を行うのが一般的である。窓開閉装置は、回動自在なハンドルを有して手動で直接操作されるものや、ハンドルの代わりにチェーン操作用プーリが設けられ、これに取付けられたチェーンにより手動で遠隔操作されるものなどがある。このように手動で操作される窓開閉装置に対し、電動で操作を行う窓開閉装置も利用されるようになっており、さらに手動で操作される窓開閉装置に電動で操作を行うための構成を追加するものも知られている。このような窓開閉装置としては、例えば特許文献１や特許文献２に挙げるようなものがある。
【特許文献１】特開２００５−２５６３９５号公報
【特許文献２】特開２００５−８９９８０号公報
【発明の開示】
【発明が解決しようとする課題】
【０００３】
特許文献１に挙げる窓開閉装置は、手動ハンドルまたはチェーン操作用プーリを取り外した上で、電動モータを窓枠に固定されるブラケットによって支持し、この電動モータにより窓の開閉を自動で行うようにしている。電動モータを支持するためのブラケットは、窓の種類に応じて複数種類用意され、その中から選択された１つを用いることとしている。
【０００４】
また、特許文献２に挙げる窓開閉装置は、窓のリンク機構に対向した動きを与えるアームと、これを駆動する電動部（モータ）とを有して構成されている。この場合においても、窓のリンク機構は窓の種類によって異なるため、窓開閉装置は窓の種類に応じて複数種類用意する必要があった。
【０００５】
しかし、このように窓の種類に応じて複数の部品あるいは装置を用意すると、コストが高くなるという問題点があった。
【０００６】
本発明は、前記課題を解決すべくなされたものであり、開閉窓を電動で開閉可能とする場合に、様々な種類の窓に対し同じ部品で対応することができて、コストダウンを図ることのできる窓開閉装置及びそれを用いた窓を提供することを目的とする。
【課題を解決するための手段】
【０００７】
上記課題を解決するため、本発明にかかる窓開閉装置は、建物開口部に取付けられる枠体内に障子が開閉機構を介して開閉自在に納められた窓の前記開閉機構を駆動する駆動部に対して取付けられる窓開閉装置において、
前記枠体に対して固定されるベースブラケットと、該ベースブラケットに対して固定されるモータ固定ブラケットと、該モータ固定ブラケットに対して固定され前記駆動部を動作させるモータと、該モータの駆動軸と前記駆動部とを連結するジョイント部材と、前記モータを覆うように取付けられるモータカバーとからなり、
前記ベースブラケットは前記モータ固定ブラケットの固定位置を複数設定できる取付部を備え、前記モータ固定ブラケットは前記ベースブラケットに対する固定位置を複数設定できるブラケット固定部を備えると共に、前記モータの固定位置を複数設定できるモータ取付部を備えることを特徴として構成されている。
【０００８】
また、本発明にかかる窓開閉装置は、前記ベースブラケットの取付部と前記モータ固定ブラケットのブラケット固定部は、これらに挿通されるネジによって互いに固着可能な複数のネジ孔によって構成され、前記ベースブラケットの取付部を構成するネジ孔は、前記ベースブラケットの上半分と下半分とで対象となるように上下方向に複数配置されることを特徴として構成されている。
【０００９】
さらに、本発明にかかる窓開閉装置は、前記モータ固定ブラケットのブラケット固定部を構成するネジ孔は、左右方向に複数設けられることを特徴として構成されている。
【００１０】
さらにまた、本発明にかかる窓開閉装置は、前記モータ固定ブラケットのモータ取付部は、ネジによって前記モータを固着可能なネジ孔によって構成され、前記モータ取付部を構成するネジ孔は、前記モータ固定ブラケットの長手方向に複数形成及び／または長孔状に形成されることを特徴として構成されている。
【００１１】
そして、本発明にかかる窓は、建物開口部に取付けられる枠体内に障子が開閉機構を介して開閉自在に納められたルーバー窓、縦辷り出し窓、平行辷り出し窓、オーニング窓のいずれかの窓であって、
前記開閉機構を駆動する駆動部に対して前記いずれかの窓開閉装置を取付けたことを特徴として構成されている。
【発明の効果】
【００１２】
本発明にかかる窓開閉装置によれば、枠体に対して固定されるベースブラケットと、ベースブラケットに対して固定されるモータ固定ブラケットと、モータ固定ブラケットに対して固定されるモータと、モータの駆動軸と駆動部とを連結するジョイント部材と、モータを覆うように取付けられるモータカバーとからなり、ベースブラケットはモータ固定ブラケットの固定位置を複数設定できる取付部を備え、モータ固定ブラケットはベースブラケットに対する固定位置を複数設定できるブラケット固定部と、モータの固定位置を複数設定できるモータ取付部を備えることにより、窓の種類に応じて駆動部に対するモータの位置を調整することができるので、複数種類の窓に同一部品からなる窓開閉装置を用いることができて、部品の共用化によるコストダウンを図ることができる。
【００１３】
また、本発明にかかる窓開閉装置によれば、ベースブラケットの取付部とモータ固定ブラケットのブラケット固定部は複数のネジ孔によって構成され、ベースブラケットの取付部を構成するネジ孔は、ベースブラケットの上半分と下半分とで対象となるように上下方向に複数配置されることにより、ベースブラケットを左右反転させても用いることができるので、駆動部が窓の左右いずれに配置されていても、部品を替えることなく窓開閉装置を設けることができる。
【００１４】
さらに、本発明にかかる窓開閉装置によれば、モータ固定ブラケットのブラケット固定部を構成するネジ孔は左右方向に複数設けられることにより、モータ固定ブラケットをベースブラケットに対して左右方向に位置調整することができ、ブラケットの形状を駆動部の形状に柔軟に適合させることができる。
【００１５】
さらにまた、本発明にかかる窓開閉装置によれば、モータ固定ブラケットのモータ取付部はネジ孔によって構成され、モータ取付部を構成するネジ孔はモータ固定ブラケットの長手方向に複数形成及び／または長孔状に形成されることにより、モータの取付位置を柔軟に設定することができるので、窓の種類によらずモータと駆動部とを確実に連結することができる。
【００１６】
そして、本発明にかかる窓によれば、窓は、ルーバー窓、縦辷り出し窓、平行辷り出し窓、オーニング窓のいずれかであって、前述の窓開閉装置を駆動部に取付けたことにより、ルーバー窓、縦辷り出し窓、平行辷り出し窓、及びオーニング窓について、共通の部品により駆動部をモータにより駆動することができるように構成することができる。
【発明を実施するための最良の形態】
【００１７】
本発明の実施形態について、図面に沿って詳細に説明する。本実施形態では、ルーバー窓、縦辷り出し窓、平行辷り出し窓、及びオーニング窓に対して取付けることのできる窓開閉装置について説明する。このうち、まず本実施形態の窓開閉装置が取付けられたルーバー窓の構成について説明する。図１にはルーバー窓の縦断面図を、図２にはルーバー窓の横断面図を、それぞれ示している。これら各図に示すように、ルーバー窓は、建物開口部に取付けられる枠体１内に開閉機構５を介して上下方向に複数設けられる障子２を納めてなるものであり、それぞれの障子２は開閉機構５によって回動されることで、開閉自在とされている。
【００１８】
枠体１は、上枠１０と下枠１１及び左右の縦枠１２、１２を方形状に枠組みしてなるものであり、それぞれ室内端部にはアングル部１３が取付けられている。各アングル部１３より室内側にはそれぞれ額縁材８が取付けられて、枠体１が建物開口部内に納められている。
【００１９】
開閉機構５は縦枠１２内に設けられ、それを駆動する駆動部１５が縦枠１２の上下方向中間位置に設けられている。また、駆動部１５の室外側には連係部１５ａを有しており、外部からの駆動によりこれが動作することによって開閉機構５を動作させ、それに取付けられた障子２を回動させる。すなわち、駆動部１５は開閉機構５を介して障子２と連係しており、その動作によって障子２を開閉させることができる。
【００２０】
障子２は、面材部４と保持体３とが一体的に形成されてなるものであり、枠体１内において上下に複数並設される。保持体３は、一端部が開閉機構５に対して回動自在に支持されると共に、縦枠１２に形成される障子支持部１４にも回動自在に支持される。駆動部１５の連係部１５ａが外部からの駆動により動作すると、開閉機構５は上下方向にスライド移動し、それに伴って保持体３は障子支持部１４による支持部分を中心に回動することによって、障子２が開閉動作する。なお、図１の上端の障子２と下端の障子２について、開状態を点線で示している。
【００２１】
駆動部１５の室内側には、連係部１５ａを動作させるための窓開閉装置２０が取付けられる。図３には、ルーバー窓における窓開閉装置２０付近の拡大図を示している。縦枠１２の室内側には、前述のように駆動部１５が設けられており、さらにそれより室内側に張り出すように窓開閉装置２０が設けられる。また、駆動部１５には、室内側に向かって突出するように操作軸１６が設けられており、この操作軸１６が回転駆動されることによって駆動部１５の連係部１５ａが動作し、開閉機構５を介して障子２を開閉動作させることができる。
【００２２】
窓開閉装置２０は、縦枠１２及び駆動部１５に対して固定されるベースブラケット２１と、ベースブラケット２１に対して固定されるモータ固定ブラケット２２と、モータ固定ブラケット２２に対して固定されるモータ２３と、モータ２３の駆動軸２３ａと駆動部１５の操作軸１６を連結するジョイント部材２４と、モータ２３を覆うように設けられるモータカバー２５とからなっている。
【００２３】
図４には、窓開閉装置２０の分解図を示している。ベースブラケット２１とモータ固定ブラケット２２は、いずれも金属材を折り曲げ加工してなり、互いにネジ止め固定されることによって一体化される。また、ベースブラケット２１は、一側部が縦枠１２と駆動部１５によって挟持されるように配置され、縦枠１２に対してネジ止めされることによって固定される。モータ２３は、モータ固定ブラケット２２に対して側部がネジ止め固定され、その状態で駆動軸２３ａが駆動部１５の操作軸１６と同軸上に配置され、ジョイント部材２４によって連結されることで、駆動軸２３ａの回転に伴って操作軸１６を回転駆動する。モータカバー２５は、ベースブラケット２１のモータ固定ブラケット２２側と、モータ固定ブラケット２２、モータ２３、及びジョイント部材２４を覆うように取付けられる。モータカバー２５は、内面側に係合部（図示しない）を有しており、モータ２３またはモータ固定ブラケット２２あるいはベースブラケット２１に対して弾性的に係合固定される。なお、ネジによりモータ２３またはモータ固定ブラケット２２あるいはベースブラケット２１に対して固定してもよい。
【００２４】
ベースブラケット２１とモータ固定ブラケット２２、及びモータ２３は、互いに位置調整可能となるように構成されている。図５には、駆動部１５とベースブラケット２１及びモータ固定ブラケット２２の配置関係を表した正面図を示している。この図においてベースブラケット２１とモータ固定ブラケット２２は、上下方向の配置関係についてのみ示している。この図に示すように、ベースブラケット２１は正面視において上下方向に長く形成されており、縦枠１２と駆動部１５に挟持される一側部の上下部にそれぞれ、縦枠１２に対してネジ止めするための縦枠固定部２１ａがネジ孔として形成されている。
【００２５】
また、ベースブラケット２１の縦枠固定部２１ａとは反対側の側部には、モータ固定ブラケット２２をネジ止めするための取付部２１ｃがネジ孔として形成されている。この取付部２１ｃは、上下方向に複数設けられ、かつベースブラケット２１の上半分と下半分とで対称位置にそれぞれ配置されている。モータ固定ブラケット２２は、これら複数の取付部２１ｃのうちいずれか２つを用いて固定されるので、どの位置の取付部２１ｃに取付けるかによって、モータ固定ブラケット２２のベースブラケット２１に対する上下方向位置を調整することができる。
【００２６】
縦枠固定部２１ａ間の中間部には、駆動部１５の連係部１５ａを挿通させることができるように挿通部２１ｂが形成されている。連係部１５ａは、操作軸１６が回転するのに伴って、この挿通部２１ｂ内をスライドするように移動する。挿通部２１ｂは、ベースブラケット２１の端部から連続した切欠状に形成されるので、縦枠１２に予め駆動部１５が取付けられていても、連係部１５ａと干渉しないようにベースブラケット２１を縦枠１２と駆動部１５との間に挿入することができる。したがって、窓開閉装置２０を後付で設ける場合にも、容易に取付作業を行うことができる。
【００２７】
ルーバー窓においてベースブラケット２１は、上下方向の略中央位置に駆動部１５の操作軸１６が配置されるように設けられる。また、モータ固定ブラケット２２は、上下方向の中央位置が操作軸１６の位置となるように、ベースブラケット２１の取付部２１ｃが選択されネジ止めされる。
【００２８】
ここで、モータ固定ブラケット２２には、ベースブラケット２１に対して固定される一側部に、ベースブラケット２１に対してネジ止めするためのブラケット固定部２２ａがネジ孔として形成されている。このネジ孔は、モータ固定ブラケット２２の上部の一つと下部の一つとで一組のブラケット固定部２２ａを構成し、それが左右に二組形成されている。モータ固定ブラケット２２をベースブラケット２１に対して固定する際には、二組のブラケット固定部２２ａのうちいずれか一方を用いる。そして、いずれのブラケット固定部２２ａを用いるかによってモータ固定ブラケット２２のベースブラケット２１に対する左右方向の位置を調整することができる。
【００２９】
また、モータ固定ブラケット２２には、モータ２３を固定するモータ取付部２２ｂがネジ孔として長手方向に複数設けられる。このネジ孔は、モータ固定ブラケット２２の上部の一つと下部の一つ、及びそれらとモータ固定ブラケット２２の長手方向に所定距離離れた位置の上部の一つと下部の一つ、合わせて四つで一組のモータ取付部２２ｂを構成する。このモータ取付部２２ｂが、モータ固定ブラケット２２の長手方向に二組形成されている。このいずれを用いるかによってモータ２３の取付位置をモータ固定ブラケット２２の長手方向に調整することができる。また、ベースブラケット２１側に設けられる一方のモータ取付部２２ｂは、ネジ孔が長孔状に形成されているので、ネジの取付位置によってモータ２３の位置をさらに調整することができる。
【００３０】
図４に示すように、ルーバー窓に窓開閉装置２０を取付ける場合には、モータ固定ブラケット２２の二組のブラケット固定部２２ａのうち、先端側（図中右側）を用いてベースブラケット２１に対してネジ止め固定する。また、モータ固定ブラケット２２の二組のモータ取付部２２ｂのうち、長孔状に形成されたネジ孔を用い、その長孔のうち最もベースブラケット２１側の位置においてモータ２３に対しネジ止め固定する。このように各部材をネジ止め固定することによって、ルーバー窓の駆動部１５に対して、モータ２３を適正な位置、すなわちモータ２３の駆動軸２３ａを駆動部１５の操作軸１６と同軸上に配置する。
【００３１】
モータ２３をモータ固定ブラケット２２に対して固定すると共に、ジョイント部材２４によってモータ２３の駆動軸２３ａと駆動部１５の操作軸１６を連結したら、モータ２３に対して配線（図示しない）し、さらにモータカバー２５を取付けることで窓開閉装置２０がルーバー窓に取付けられる。このように窓開閉装置２０を取付けると、モータ２３に通電することによって駆動部１５の操作軸１６を電動で回転させることができ、それに伴って連係部１５ａ及びリンク機構６を介して障子２を自動的に開閉させることができる。
【００３２】
次に、別の種類の窓に対して窓開閉装置２０を取付ける場合について説明する。ここでは別の種類の窓として、縦辷り出し窓について説明する。図６には窓開閉装置２０を取付けた縦辷り出し窓の縦断面図を、図７には窓開閉装置２０を取付けた縦辷り出し窓の横断面図を、それぞれ示している。これら各図に示すように、この縦辷り出し窓は、建物開口部に取付けられる枠体５０内に開閉機構５４を介して障子５１を納めてなるものであり、障子５１は駆動部１５に駆動される開閉機構５４によって室内外方向に開閉自在とされている。
【００３３】
枠体５０は、上枠６０と下枠６１及び左右の縦枠６２、６２を方形状に枠組みしてなるものである。障子５１は、上框７０と下框７１及び左右の縦框７２、７２を方形状に框組みした框体５２内にガラス体５３を納めてなるものである。また、縦框７２は縦枠６２内に取付けられる開閉機構５４に連結されており、これによって支持されると共に室内外方向に開閉することができるようにされている。また、枠体５０の室内側には開閉機構５４を駆動する駆動部１５が設けられ、駆動部１５は室外側に開閉機構５４と連係する連係部１５ａを有している。また、開閉機構５４の室内側には、ルーバー窓の場合と同様に窓開閉装置２０が取付けられる。
【００３４】
図８には、縦辷り出し窓における窓開閉装置２０付近の拡大図を示している。縦辷り出し窓に取付けられる窓開閉装置２０は、ルーバー窓に取付けられる窓開閉装置２０と同じ部品によって構成される。すなわち、窓開閉装置２０を構成するベースブラケット２１、モータ固定ブラケット２２、モータ２３、ジョイント部材２４、及びモータカバー２５は、いずれもルーバー窓の場合と同じ部材を用いている。
【００３５】
図９には、駆動部１５とベースブラケット２１及びモータ固定ブラケット２２の配置関係を表した正面図を示している。この図に示すように、縦辷り出し窓の場合には、操作軸１６が駆動部１５の下部に配置されるので、モータ固定ブラケット２２は、上下方向の中央位置が操作軸１６の位置となるように、ベースブラケット２１の取付部２１ｃが選択されネジ止めされることで、ベースブラケット２１の中央より下部に固定される。
【００３６】
図１０には、窓開閉装置２０の分解図を示している。この図に示すように、縦辷り出し窓に窓開閉装置２０を取付ける場合には、モータ固定ブラケット２２の二組のブラケット固定部２２ａのうち、先端側（図中右側）を用いてベースブラケット２１に対してネジ止め固定する。また、モータ固定ブラケット２２の二組のモータ取付部２２ｂのうち、長孔状に形成されたネジ孔を用い、その長孔のうち最もベースブラケット２１側の位置においてモータ２３に対しネジ止め固定する。このように各部材をネジ止め固定することによって、縦辷り出し窓の駆動部１５に対して、モータ２３を適正な位置に配置する。
【００３７】
さらに、他の種類の窓に対する窓開閉装置２０の取付について説明する。ここでは、平行辷り出し窓に窓開閉装置２０を取付ける場合と、オーニング窓に窓開閉装置２０を取付ける場合について説明する。なお、これらの窓については、全体の構成の説明は省略する。
【００３８】
図１１には、平行辷り出し窓における窓開閉装置２０付近の拡大図を示している。この図に示すように、縦枠１２の室内側に設けられる駆動部１５は、ルーバー窓や縦辷り出し窓の場合と比べて室内側により張り出すような大きさを有している。この場合にも、窓開閉装置２０を構成するベースブラケット２１、モータ固定ブラケット２２、モータ２３、ジョイント部材２４、及びモータカバー２５はルーバー窓や縦辷り出し窓の場合と同じ部品を用いることができる。
【００３９】
図１２には、駆動部１５とベースブラケット２１及びモータ固定ブラケット２２の配置関係を表した正面図を示している。この図に示すように、平行辷り出し窓の場合には、操作軸１６が駆動部１５の上部寄りに配置されるので、モータ固定ブラケット２２は、上下方向の中央位置が操作軸１６の位置となるように、ベースブラケット２１の取付部２１ｃが選択されネジ止めされることで、ベースブラケット２１の中央よりやや上方寄りに固定される。
【００４０】
図１３には、窓開閉装置２０の分解図を示している。この図に示すように、平行辷り出し窓に窓開閉装置２０を取付ける場合には、モータ固定ブラケット２２の二組のブラケット固定部２２ａのうち、先端側（図中右側）を用いてベースブラケット２１に対してネジ止め固定する。また、モータ固定ブラケット２２の二組のモータ取付部２２ｂのうち、長孔状に形成されたネジ孔を用い、その長孔のうちベースブラケット２１から離れた側の位置においてモータ２３に対しネジ止め固定する。このように各部材をネジ止め固定することによって、平行辷り出し窓の駆動部１５に対して、モータ２３を適正な位置に配置する。
【００４１】
図１４には、オーニング窓における窓開閉装置２０付近の拡大図を示している。この図に示すように、縦枠１２の室内側に設けられる駆動部１５は、これまで説明した窓の中では最も大きく、室内側に大きく張り出している。この場合にも、窓開閉装置２０を構成するベースブラケット２１、モータ固定ブラケット２２、モータ２３、ジョイント部材２４、及びモータカバー２５はルーバー窓や縦辷り出し窓の場合と同じ部品を用いることができる。
【００４２】
図１５には、駆動部１５とベースブラケット２１及びモータ固定ブラケット２２の配置関係を表した正面図を示している。この図に示すように、オーニング窓の場合には、駆動部１５の上下方向長さとベースブラケット２１の上下方向長さが略同じであり、また操作軸１６は駆動部１５の下部に設けられている。このため、モータ固定ブラケット２２は、上下方向の中央位置が操作軸１６の位置となるように、ベースブラケット２１の取付部２１ｃが選択されネジ止めされることで、ベースブラケット２１の下部に固定される。
【００４３】
図１６には、窓開閉装置２０の分解図を示している。この図に示すように、オーニング窓に窓開閉装置２０を取付ける場合には、モータ固定ブラケット２２の二組のブラケット固定部２２ａのうち、モータ２３の取付部寄り（図中左側）を用いてベースブラケット２１に対してネジ止め固定する。また、モータ固定ブラケット２２の二組のモータ取付部２２ｂのうち、通常のネジ孔として形成されたネジ孔を用いてモータ２３に対しネジ止めし、モータ２３がベースブラケット２１との固定側からより離れた位置に配置されるようにしている。このように各部材をネジ止め固定することによって、オーニング窓の駆動部１５に対して、モータ２３を適正な位置に配置する。
【００４４】
これまで説明したように、窓開閉装置２０は、モータ２３を駆動部１５に固定するためのブラケットが、ベースブラケット２１とモータ固定ブラケット２２の二部材からなり、ベースブラケット２１とモータ固定ブラケット２２、及びモータ２３が互いに位置調整可能となるようにネジ孔が形成されていることにより、ルーバー窓、縦辷り出し窓、平行辷り出し窓、及びオーニング窓のいずれにおいても、同一部品を用いることができて、部品の共用化によるコストダウンを図ることができる。
【００４５】
また、これまで説明した窓では、いずれも駆動部１５が室内側から見た右側に配置されているが、駆動部１５が室内側から見た左側に配置されるものであってもよい。この場合、駆動部１５に対して固定するためのベースブラケット２１は、左右反転させる必要があるが、前述のようにベースブラケット２１の取付部２１ｃは、上半分と下半分とで対称位置にそれぞれ配置されているので、このように左右勝手を変更した場合であっても同じ部品を用いることができる。
【００４６】
以上、本発明の実施形態について説明したが、本発明の適用は本実施形態には限られず、その技術的思想の範囲内において様々に適用されうるものである。本実施形態では、モータカバー２５はモータ２３及びその周囲部のみを覆うように形成したため、モータカバー２５をコンパクトにすることができる反面、ベースブラケット２１の一部が室内側に露出する。そこで、モータカバー２５を大きく形成してベースブラケット２１の全体を覆うようにしてもよい。
【図面の簡単な説明】
【００４７】
【図１】ルーバー窓の縦断面図である。
【図２】ルーバー窓の横断面図である。
【図３】ルーバー窓における窓開閉装置付近の拡大図である。
【図４】窓開閉装置の分解図である。
【図５】駆動部とベースブラケット及びモータ固定ブラケットの配置関係を表した正面図である。
【図６】縦辷り出し窓の縦断面図である。
【図７】縦辷り出し窓の横断面図である。
【図８】縦辷り出し窓における窓開閉装置付近の拡大図である。
【図９】駆動部とベースブラケット及びモータ固定ブラケットの配置関係を表した正面図である。
【図１０】窓開閉装置の分解図である。
【図１１】平行辷り出し窓における窓開閉装置付近の拡大図である。
【図１２】駆動部とベースブラケット及びモータ固定ブラケットの配置関係を表した正面図である。
【図１３】窓開閉装置の分解図である。
【図１４】オーニング窓における窓開閉装置付近の拡大図である。
【図１５】駆動部とベースブラケット及びモータ固定ブラケットの配置関係を表した正面図である。
【図１６】窓開閉装置の分解図である。
【符号の説明】
【００４８】
１    枠体
２    障子
３    保持体
４    面材部
５    開閉機構
１０    上枠
１１    下枠
１２    縦枠
１５    駆動部
１５ａ  連係部
１６    操作軸
２０    窓開閉装置
２１    ベースブラケット
２１ａ  縦枠固定部
２１ｂ  挿通部
２１ｃ  取付部
２２    モータ固定ブラケット
２２ａ  ブラケット固定部
２２ｂ  モータ取付部
２３    モータ
２３ａ  駆動軸
２４    ジョイント部材
２５    モータカバー
【図１】
2008231689.tif 000003
【図２】
2008231689.tif 000004
【図３】
2008231689.tif 000005
【図４】
2008231689.tif 000006
【図５】
2008231689.tif 000007
【図６】
2008231689.tif 000008
【図７】
2008231689.tif 000009
【図８】
2008231689.tif 000010
【図９】
2008231689.tif 000011
【図１０】
2008231689.tif 000012
【図１１】
2008231689.tif 000013
【図１２】
2008231689.tif 000014
【図１３】
2008231689.tif 000015
【図１４】
2008231689.tif 000016
【図１５】
2008231689.tif 000017
【図１６】
2008231689.tif 000018